(57)【要約】【課題】  壁面とその近傍に設置される構造物との間に形成される隙間を閉塞する長尺の隙間閉塞用パッキンにおいて、隙間の密封性の低下と、抜止部の形状や寸法の経年変化とを抑制する。【解決手段】  壁面Ｗとその近傍に設置される構造物Ｐとの間に形成される隙間Ｇを閉塞する断面略Ｔ字形の長尺の隙間閉塞用パッキンであって、壁面と構造物の上面Ｐ１ａとの間に跨るように配置される頭部１０と、頭部の下面から下方に延出するとともに隙間に挿入される脚部２０と、脚部の側面に設けられ、隙間を形成する面Ｐ１ｂ、Ｈａに当接する抜止部２１、２２、２３と、を備えている。抜止部は、脚部の長手方向に沿って延びる断面略半円状の凸条であるとともに、脚部の一方の側面に設けられた抜止部と、脚部の他方の側面に設けられた抜止部とが、脚部の延出方向にずらして交互に配置されている。【選択図】図２
2016130427.tif 000002
【特許請求の範囲】
【請求項１】
壁面（Ｗ）とその近傍に設置される構造物（Ｐ）との間に形成される隙間（Ｇ）を閉塞する断面略Ｔ字形の長尺の隙間閉塞用パッキンであって、
前記壁面（Ｗ）と前記構造物（Ｐ）の上面（Ｐ１ａ）との間に跨るように配置される頭部（１０）と、
前記頭部（１０）の下面から下方に延出するとともに前記隙間（Ｇ）に挿入される脚部（２０）と、
前記脚部（２０）の側面に設けられ、前記隙間（Ｇ）を形成する面（Ｐ１ｂ、Ｈａ）に当接する抜止部（２１、２２、２３）と、
を備え、
前記抜止部（２１、２２、２３）は、前記脚部（２０）の長手方向に沿って延びる断面略半円状の凸条であるとともに、前記脚部（２０）の一方の側面に設けられた抜止部（２１、２３）と、前記脚部（２０）の他方の側面に設けられた抜止部（２２）とが、前記脚部（２０）の延出方向にずらして交互に配置されていることを特徴とする隙間閉塞用パッキン。
【請求項２】
前記脚部（２０）における前記構造物（Ｐ）に対向する側面に複数の前記抜止部（２１、２３）が設けられるとともに、前記複数の抜止部（２１、２３）の前記脚部（２０）からの突出量は、前記複数の抜止部（２１、２３）の各々が前記構造物（Ｐ）に与える押圧力が略均一になるように設定されていることを特徴とする請求項１に記載の隙間閉塞用パッキン。
【請求項３】
前記頭部（１０）は、その長手方向に沿って延びるスリット（１２）を有していることを特徴とする請求項１または２に記載の隙間閉塞用パッキン。
【請求項４】
前記頭部（１０）は、その長手方向両側縁部に沿って延びる柱状の上部膨出部（１１）を有していることを特徴とする請求項１乃至３のいずれかに記載の隙間閉塞用パッキン。
【請求項５】
前記脚部（２０）は、その下端縁部に沿って延びる柱状の下部膨出部（２４）を有していることを特徴とする請求項１乃至４のいずれかに記載の隙間閉塞用パッキン。
【発明の詳細な説明】
【技術分野】
【０００１】
本発明は、壁面とその近傍に設置される構造物との間に形成される隙間を閉塞する隙間閉塞用パッキンの改良に関するものである。
【背景技術】
【０００２】
洗濯機用の防水パンや浴槽は、床面から立ち上がる壁面の近傍に設置されることが多い。防水パンや浴槽と壁面との間に形成される隙間は、水や埃が侵入しないように塞ぐ必要があり、コーキング材で隙間を塞ぐ作業は煩雑であるため、特許文献１の図６に示されるような隙間閉塞用パッキンが用いられている。
特許文献１の隙間閉塞用パッキンは、エラストマー等の弾性材料で形成された断面略Ｔ字形の長尺の部材であって、頭部と、その下面から延出する脚部と、脚部の側面に設けられたヒレ状の抜止部とを備えている。
【０００３】
頭部は、防水パンや浴槽等（以下「構造物」と称する。）の側壁の上面と壁面との間に跨るように配置され、脚部は、壁面と構造物との間に形成される隙間に挿入される。抜止部は、構造物の側面に当接して隙間閉塞用パッキンが構造物から浮き上がるのを抑制する。
【先行技術文献】
【特許文献】
【０００４】
【特許文献１】特開２００５−２８２２６２号公報
【発明の概要】
【発明が解決しようとする課題】
【０００５】
特許文献１の隙間閉塞用パッキンには、以下に述べるような課題がある。
すなわち、特許文献１の隙間閉塞用パッキンを壁面と構造物との間の隙間に装着する際には、頭部の上面を長手方向に沿って指で押圧して脚部を隙間に押し込んでゆくが、隙間閉塞用パッキンは長さが６０〜９０ｃｍ程度の長尺物であるのに加えて、弾性材料で形成されているため、よじれや波打ち等が生じやすく、隙間の密封性が低下することがある。
【０００６】
また、特許文献１の隙間閉塞用パッキンの抜止部はヒレ状であるため、その形状や寸法が経年変化しやすく、外観や抜け止め性能が損なわれることがある。
本発明は上記課題に鑑みてなされたものであり、その目的は、壁面とその近傍に設置される構造物との間に形成される隙間を閉塞する長尺の隙間閉塞用パッキンにおいて、隙間の密封性の低下と、抜止部の形状や寸法の経年変化とを抑制することにある。
【課題を解決するための手段】
【０００７】
上記課題を解決するため、本発明は、以下の技術的手段を講じている。
すなわち、第１の発明は、壁面Ｗとその近傍に設置される構造物Ｐとの間に形成される隙間Ｇを閉塞する断面略Ｔ字形の長尺の隙間閉塞用パッキンであって、前記壁面Ｗと前記構造物Ｐの上面Ｐ１ａとの間に跨るように配置される頭部１０と、前記頭部１０の下面から下方に延出するとともに前記隙間Ｇに挿入される脚部２０と、前記脚部２０の側面に設けられ、前記隙間Ｇを形成する面Ｐ１ｂ、Ｈａに当接する抜止部２１、２２、２３とを備えている。前記抜止部２１、２２、２３は、前記脚部２０の長手方向に沿って延びる断面略半円状の凸条であるとともに、前記脚部２０の一方の側面に設けられた抜止部２１、２３と、前記脚部２０の他方の側面に設けられた抜止部２２とが、前記脚部２０の延出方向にずらして交互に配置されていることを特徴とする。
【０００８】
また、第２の発明は、第１の発明において、前記脚部２０における前記構造物Ｐに対向する側面に複数の前記抜止部２１、２３が設けられるとともに、前記複数の抜止部２１、２３の前記脚部２０からの突出量は、前記複数の抜止部２１、２３の各々が前記構造物Ｐに与える押圧力が略均一になるように設定されていることを特徴とする。
また、第３の発明は、第１または第２の発明において、前記頭部１０は、その長手方向に沿って延びるスリット１２を有していることを特徴とする。
【０００９】
また、第４の発明は、第１〜第３の発明のいずれかにおいて、前記頭部１０は、その長
手方向両側縁部に沿って延びる柱状の上部膨出部１１を有していることを特徴とする。
また、第５の発明は、第１〜第４の発明のいずれかにおいて、前記脚部２０は、その下端縁部に沿って延びる柱状の下部膨出部２４を有していることを特徴とする。
【発明の効果】
【００１０】
第１の発明に係る隙間閉塞用パッキンは、隙間Ｇの密封性の低下と、抜止部２１、２２、２３の形状や寸法の経年変化とを抑制することができる。
第２の発明に係る隙間閉塞用パッキンは、構造物Ｐの側面Ｐ１ｂが傾斜している場合において、脚部２０を構造物Ｐの側面Ｐ１ｂに沿った所定の姿勢に精度良く保つことができるとともに、脚部２０の隙間Ｇへの挿入力の増大を抑制することができる。
【００１１】
第３の発明に係る隙間閉塞用パッキンは、隙間Ｇに装着した状態で構造物Ｐから浮き上がるのを抑制することができる。
第４の発明に係る隙間閉塞用パッキンは、隙間Ｇに装着した状態で構造物Ｐから浮き上がるのを抑制することができる。
第５の発明に係る隙間閉塞用パッキンは、脚部２０によじれや反りが生じるのを抑制することができる。
【図面の簡単な説明】
【００１２】
【図１】実施形態の隙間閉塞用パッキンの使用例を示す斜視図である。
【図２】図１の要部の縦断面図である。
【図３】実施形態の隙間閉塞用パッキンの一部省略斜視図である。
【図４】実施形態の隙間閉塞用パッキンの正面図である。
【図５】実施形態の隙間閉塞用パッキンの平面図である。
【図６】実施形態の隙間閉塞用パッキンの底面図である。
【図７】実施形態の隙間閉塞用パッキンの右側面図である。
【図８】実施形態の隙間閉塞用パッキンの左側面図である。
【発明を実施するための形態】
【００１３】
以下、本発明の隙間閉塞用パッキンの実施形態を図面に基づき詳しく説明する。
図１において、符号Ｐは洗濯機Ｌを収容する防水パンであり、壁面Ｗの近傍に設置されている。符号Ｈは壁面Ｗの下端部に取り付けられた幅木である。図２に示すように、防水パンＰの側壁Ｐ１の外側の側面Ｐ１ｂと幅木Ｈの外側の側面Ｈａとの間に隙間Ｇが形成される。この隙間Ｇを閉塞するために隙間閉塞用パッキン１が使用される。
【００１４】
図３〜図８に示すように、隙間閉塞用パッキン１は、断面略Ｔ字形の長尺の部材であって、帯板状の頭部１０と、その下面から下方に延出する帯板状の脚部２０とを備えている。隙間閉塞用パッキン１は、エラストマーや塩ビ等の弾性材料を用いて押出成形法等によって製造される。なお、隙間閉塞用パッキン１の材料は、防水パンＰの色移り等を抑制するために、非移行性の可塑材であることが好ましい。
【００１５】
頭部１０は断面鈍角三角形状で、中間部から両側縁部に向かって厚みが薄くなるように形成されている。また、頭部１０は、その長手方向に沿って延びる複数本のスリット１２を有している。すなわち、頭部１０の上面に１本のスリット１２が設けられ、頭部１０の下面に２本のスリット１２が設けられている。さらに、頭部１０は、その長手方向両側縁部に沿って延びる円柱状の上部膨出部１１を有している。
【００１６】
本実施形態では、スリット１２と上部膨出部１１は頭部１０の長手方向に沿って直線状に延びており、頭部１０の長手方向の全長に亘って設けられているが、必ずしもそのような態様に限られるものではない。
脚部２０の側面には、その長手方向に沿って延びる抜止部２１、２２、２３が設けられている。また、脚部２０は、その下端縁部に沿って延びる円柱状の下部膨出部２４を有している。
【００１７】
本実施形態では、抜止部２１、２２、２３と下部膨出部２４は脚部２０の長手方向に沿って直線状に延びており、脚部２０の長手方向の全長に亘って設けられているが、必ずしもそのような態様に限られるものではない。
抜止部２１、２２、２３は、脚部２０の長手方向に沿って延びる断面略半円状の凸条で
ある。そして、脚部２０の一方の側面に設けられた抜止部２１、２３と、脚部２０の他方の側面に設けられた抜止部２２とが、脚部２０の延出方向（下方向）にずらして交互に配置されている。すなわち、脚部２０の一方の側面に設けられた抜止部２１の下方に脚部２０の他方の側面に設けられた抜止部２２が配置され、抜止部２２の下方に脚部２０の一方の側面に設けられた抜止部２３が配置されている。
【００１８】
防水パンＰの側面Ｐ１ｂは、下方に向かうにしたがって次第に外方に張り出すように傾斜しており、抜止部２１、２３の各々が側面Ｐ１ｂに与える押圧力が略均一になるように、抜止部２１、２３の脚部２０からの突出量が設定されている。すなわち、抜止部２３の断面の曲率半径を抜止部２１の断面の曲率半径よりも小さくして、抜止部２３の脚部２０からの突出量を抜止部２１の脚部２０からの突出量よりも小さくしている。
【００１９】
上記のように構成された隙間閉塞用パッキン１を隙間Ｇに装着する際には、防水パンＰの側壁Ｐ１と壁面Ｗとの間に形成された隙間Ｇに脚部２０の下端部を挿入し、頭部１０の上面を長手方向に沿って指で押圧して脚部２０を隙間Ｇに押し込む。これによって、抜止部２１〜２３が防水パンＰの側面Ｐ１ｂ又は幅木Ｈの側面Ｈａに当接して圧縮されるとともに、頭部１０が隙間Ｇの上面開口を覆う。図２に示すように、頭部１０は、壁面Ｗと防水パンＰの側壁Ｐ１の上面Ｐ１ａとの間に跨るとともに弓状に湾曲した状態になる。
【００２０】
なお、頭部１０の厚みが中間部から両側縁部に向かって薄くなっているとともに、頭部１０にスリット１２が形成されていることで、頭部１０が凹状に湾曲しやすくなるともに、湾曲した状態から平坦な状態に弾性復帰しようとする力が小さくなる。
また、頭部１０の長手方向両側縁部に沿って柱状の上部膨出部１１を形成することによって、頭部１０が上向きに凸状となるように反るのを抑制することができる。
【００２１】
したがって、頭部１０が凹状に湾曲した状態を保ちやすく、側壁Ｐ１の上面Ｐ１ａから浮き上がるのを抑制することができる。
脚部２０は、抜止部２１、２３が防水パンＰに当接することによって生じる反力と、抜止部２２が幅木Ｈに当接することによって生じる反力とによって隙間Ｇ内に固定される。
抜止部２１〜２３は断面略半円状であるため、ヒレ状の抜止部に比べて弾性変形しにくく、脚部２０が所定の形状に精度良く保たれるとともに、隙間Ｇ内の所定の位置に精度良く位置決めされる。
【００２２】
したがって、隙間閉塞用パッキン１によじれや波打ち等の変形が生じにくく、隙間Ｇの密封性が低下するのを抑制することができる。
なお、防水パンＰの側面Ｐ１ｂは、下方に向かうにしたがって次第に外方に張り出すように傾斜しているが、側面Ｐ１ｂに当接する抜止部２１、２３の各々が防水パンＰの側面Ｐ１ｂに与える押圧力が略均一であるため、脚部２０を側面Ｐ１ｂに沿った所定の姿勢に精度良く保つことができるとともに、脚部２０の隙間Ｇへの挿入力の増大を抑制することができる。
【００２３】
また、抜止部２１〜２３は断面略半円状であるため、ヒレ状の抜止部に比べて形状や寸法が経年変化しにくいので、外観や抜け止め性能が損なわれるのを抑制することができる。
さらに、脚部２０は、下端縁部に沿って延びる柱状の下部膨出部２４を有しているため、成形時や保管時等において、よじれや反りが生じるのを抑制することができる。したがって、隙間閉塞用パッキン１を隙間Ｇに装着する際の作業性が低下したり、脚部２０の外観が損なわれたりするのを抑制することができる。
【００２４】
以上、本発明の具体的な実施形態を説明したが、本発明は上記実施形態に限定されるものではない。
例えば、本発明の隙間閉塞用パッキンは、防水パン以外の構造物（例えば、浴槽、洗面化粧台）と壁面との間に形成される隙間を閉塞するために用いることもできる。
また、脚部に設けられる抜止部の数は３つ以外でもよい。
【００２５】
また、頭部に設けられるスリットの数は３本以外でもよく、スリットを省略することもできる。
また、上記実施形態では、頭部の厚みが中間部から両側縁部に向かって減少しているが
、頭部の厚みは均一であってもよい。
また、上部膨出部及び／又は下部膨出部の断面形状は円柱状以外の形状（例えば、多角柱状）でもよい。
【００２６】
また、上部膨出部及び／又は下部膨出部を省略してもよい。
また、本発明の隙間閉塞用パッキンは、壁面の下端部に幅木が取り付けられていない場合にも使用することができる。
その他にも、本発明の要旨を逸脱しない範囲で上記実施形態に種々の改変を施すことができる。
【符号の説明】
【００２７】
１    隙間閉塞用パッキン
１０    頭部
１１    上部膨出部
１２    スリット
２０    脚部
２１    抜止部
２２    抜止部
２３    抜止部
２４    下部膨出部
Ｇ    隙間
Ｐ    防水パン（構造物）
Ｗ    壁面
【図１】
2016130427.tif 000003
【図２】
2016130427.tif 000004
【図３】
2016130427.tif 000005
【図４】
2016130427.tif 000006
【図５】
2016130427.tif 000007
【図６】
2016130427.tif 000008
【図７】
2016130427.tif 000009
【図８】
2016130427.tif 000010